(57)【特許請求の範囲】
【請求項１】
演奏操作を行うための演奏操作部、無線通信を行うためのアンテナを備える第１構成部と、
通信操作を行うための通信操作部、各種情報を表示する表示部、送話を行うためのマイク、受話を行うためのレシーバ、前記演奏操作部での演奏操作に基づき楽音を発音するスピーカを備える第２構成部とからなり、
前記第２構成部に、前記第１構成部を収納する収納部を設けたことを特徴とする通信装置。
【請求項２】
前記第１構成部は弦楽器のフレット部をなし、
前記第２構成部は弦楽器のボディ部をなすことを特徴とする請求項１記載の通信装置。
【請求項３】
前記フレット部には、前記アンテナを収納するアンテナ収納部を設けたことを特徴とする請求項２記載の通信装置。
【発明の詳細な説明】
【０００１】
【発明の属する技術分野】
本発明は、通信装置に関する。
【０００２】
【従来の技術】
携帯電話機として、折り畳み式のものが従来から各種開発されてきた。例えば、送話部と受話部を、ヒンジで回動可能とした上下の筐体に分離したもの（特開平１１−６８８９９号公報参照）、キー操作部及び表示部をカバーで覆って蓋としたり鏡として使用するもの（特開平１０−１３５１４号公報参照）、カバーに表示部の透視窓を設けたもの（特開平５−３０１６６号公報参照）が知られている。
また、携帯電話機において、従来の着信メロディの入力作業は、１０キースイッチを操作して音高と音長を入力する方法であった。
【０００３】
【発明が解決しようとする課題】
ところで、従来の折り畳み式携帯電話機は、単に小型化を目的としたり、キー操作部に蓋をして誤動作防止を目的とした構造のものに限定されていた。
また、従来の着信メロディの入力作業は、前述のように、１０キースイッチを操作して記録と再生を繰り返しながら行うものとなっており、例えば、気軽に演奏を楽しみながらメロディを入力させるようなものではなかった。
【０００４】
本発明の課題は、通信装置において、単なる通信機としてだけでなく、演奏が手軽に行えて、外形的に従来になかったユニークで個性的なファッション性も主張できるようにし、かつ、小型化も可能とすることである。
【０００５】
【課題を解決するための手段】
以上の課題を解決するため、請求項１記載の発明は、
例えば、図１から図３及び図５に示すように、
演奏操作を行うための演奏操作部１１、１２、６１、無線通信を行うためのアンテナ５を備える第１構成部１と、
通信操作を行うための通信操作部２１、２２、２３、各種情報を表示する表示部２４、送話を行うためのマイク２５、受話を行うためのレシーバ２６、前記演奏操作部１１、１２、６１での演奏操作に基づき楽音を発音するスピーカ２７を備える第２構成部２とからなる通信装置であって、
前記第２構成部２に、前記第１構成部１を収納する収納部３を設けた構造を特徴とする。
【０００６】
請求項１記載の発明によれば、演奏操作部及びアンテナを備える第１構成部と、通信操作部、表示部、マイク、レシーバ及びスピーカを備える第２構成部とからなる通信装置なので、第１構成部の演奏操作部での演奏操作に基づいて第２構成部のスピーカから楽音が発音される。
しかも、演奏操作部が備えられているので、外形的に従来になかったユニークで個性的なファッション性も主張できる。
そして、第２構成部に、第１構成部を収納する収納部を設けたので、第１構成部を第２構成部に収納することによって、小型化できる。
【０００７】
請求項２記載の発明は、
請求項１記載の通信装置であって、
例えば、図１に示すように、
前記第１構成部１は弦楽器のフレット部をなし、
前記第２構成部２は弦楽器のボディ部をなすことを特徴とする。
【０００８】
請求項２記載の発明によれば、第１構成部がフレット部で第２構成部がボディ部をなす弦楽器型の通信装置なので、弦楽器のような斬新な外観が得られる。
【０００９】
請求項３記載の発明は、
請求項２記載の通信装置であって、
例えば、図２から図３に示すように、
前記フレット部１には、前記アンテナ５を収納するアンテナ収納部４を設けたことを特徴とする。
【００１０】
請求項３記載の発明によれば、フレット部にアンテナ収納部を設けたので、フレット部に対しアンテナを伸縮できる。
【００１１】
【発明の実施の形態】
以下、図を参照して本発明の実施の形態を詳細に説明する。
先ず、構成から説明する。
実施形態の通信装置は、図１に示すように、ギターの形状を模した形状をなし、第１構成部をなすフレット部１と第２構成部をなすボディ部２とにより構成される弦楽器型携帯電話機である。
【００１２】
ボディ部２の表面には、機能選択部２１、電話番号や文字を入力するための１０キースイッチ部２２、各種ボタンスイッチ部２３、電話番号やメッセージ等を表示する液晶表示部２４、マイク２５、レシーバ２６が設けられている。
具体的には、ボディ部２の表面のほぼ中央に送信／受信モード時に操作する複数のボタンスイッチからなる機能選択部２１が設けられて、その下方に電話番号や文字を入力するための１０キースイッチ部２２が設けられ、更にその下方に各種ボタンスイッチ部２３が設けられている。各種ボタンスイッチ部２３は、図示左から順に電源ボタン２３ａ、クリアボタン２３ｂ、メモリボタン２３ｃ、メモボタン２３ｄからなる。これらの機能選択部２１、１０キースイッチ部２２及び各種ボタンスイッチ部２３が通信操作部をなす。
また、機能選択部２１の上方に電話番号やメッセージ等を表示する液晶表示部２４が設けられている。そして、ボディ部２表面の下部に送話を行うためのマイク２５が設けられて、ボディ部２表面の上部に受話を行うためのレシーバ２６が設けられている。
【００１３】
なお、ボディ部２の側面には、図２に示すように、スピーカ２７及びイヤホン端子２８が設けられている。
具体的には、ボディ部２の側面の凹状湾曲形状部の上下に分けてスピーカ２７及びイヤホン端子２８が対向するように設けられている。スピーカ２７からは、演奏モード時に楽音が放音される。
そして、ボディ部２の内部には、表面側にボディ部基板２９が設けられている。ボディ部基板２９上には、図示しないが、通信機の制御回路、楽音の制御回路、楽音を発生する音源、その他の回路素子として住所録、文字情報、楽音情報等を記憶するメモリ等が搭載されている。
さらに、ボディ部２の内部には、ボディ部基板２９の背面側において、上方に開口するフレット部収納室（フレット部収納部）３が形成されている（図５及び図６も参照）。
【００１４】
次に、フレット部１は、普通の弦楽器のフレットには複数の弦が張設されているのに対し、鍵盤１１を配列したものである。
ここで、従来の携帯電話機は、片手に載せて操作する程度のサイズが一般的であるが、このように小型化すると、フレットの押弦操作で音高を決定し、ピッキング操作で発音開始するという両手での演奏方法をするにはあまりにも小さすぎて操作性に問題がある。このため、演奏操作性を考慮してフレット部１に弦に代えて鍵盤１１を配置することで、片手での演奏を可能としている。
具体的には、フレット部１の表面に、複数の白鍵及び複数の黒鍵よりなる鍵盤１１を設けて、この鍵盤１１の下面側にフレット部基板１２を設けている。これらの鍵盤１１及びフレット部基板１２により音高入力部が構成される。フレット部基板１２には、図示しないが、鍵盤１１の各鍵に対応して押鍵／離鍵を検出するスイッチと、押鍵操作の圧力を検出する感圧抵抗体が設けられている。これらのスイッチ及び感圧抵抗体によるセンサに基づいて、所定値以上の押圧力で当該音高の楽音を発音開始し、押圧力の強弱に応じて発音中の楽音に強弱を与えて演奏表現に反映させ、離鍵によって当該発音中の発音を消音する。
【００１５】
そして、フレット部１の内部には、フレット部基板１２の背面側において、上方に開口するアンテナ収納管（アンテナ収納部）４が設けられている。このアンテナ収納管４にアンテナ５が伸縮自在に組み込まれている。
また、フレット部１の先端（上端）には、ヘッド部６が嵌合されている。このヘッド部６の表面には、演奏モードの際に発音される楽音の特性、例えば、音色、音量、リズム、テンポ、効果音等を設定する複数のボタンスイッチによる楽音パラメータ設定スイッチ部６１が設けられている。この楽音パラメータ設定スイッチ部６１と前記音高入力部（鍵盤１１及びフレット部基板１２）により演奏操作部が構成される。楽音パラメータ設定スイッチ部６１はフレット部基板１２に電気的接続される。
なお、ヘッド部６の内部には、フレット部１のアンテナ収納管４と連続するアンテナ収納管（アンテナ収納部）７が設けられている。このアンテナ収納管７の上部は、アンテナ５の頭部５１の下半部を収納する大径のアンテナ頭部収納部７１となっている。従って、フレット部１及びヘッド部６のアンテナ収納管４、７へのアンテナ５の収納時において、アンテナ頭部５１の上半部はヘッド部６から上方に露出している。
ユーザーは、通信モード時に必要に応じて、アンテナ頭部５１を指で摘んで、フレット部１及びヘッド部６に収納されているアンテナ５を引き出して、電波の発信／受信を行う。
以上において、フレット部基板１２とボディ部基板２９は、図示しないが、リード線またはフィルム基板により接続されている。
【００１６】
次に、フレット部１をボディ部２のフレット部収納室３から引き出したり収納したりする機構について説明する。
図２と図５及び図６に示すように、ボディ部２の内部のフレット部収納室３の両側部には、下端部のフレット部収納ストッパ部３１と上端部のフレット部伸長ストッパ部３２とが設けられている。フレット部収納ストッパ部３１は、フレット部収納室３の最深部近傍の両側面に形成した一対の半球状凹部である。フレット部伸長ストッパ部３２は、フレット部収納室３の開口部近傍の両側面に形成した一対の半球状凹部で、フレット部収納ストッパ部３１の半球状凹部よりやや大きい形状である。
これら上下のフレット部収納ストッパ部３１またはフレット部伸長ストッパ部３２の何れかに先端球状部材８が係合している。
また、フレット部１の下端部には、両側面に開口する一対のスプリング収納穴１３が形成されている。このスプリング収納穴１３には、圧縮コイルスプリング９が収納されるとともに、先端球状部材８の基端フランジ部が摺動自在に嵌合されている。
従って、先端球状部材８は、圧縮コイルスプリング９によりフレット部収納室３の側面に向かうように付勢されている。
【００１７】
図３は、以上の弦楽器型携帯電話機をユーザーのポケットやカバンに入れておくような場合の例で、アンテナ４がアンテナ収納管４、７に収納されたフレット部１を、ボディ部２のフレット部収納室３に収納して、最小のサイズに縮小した状態を示している。
この場合、図６に示したように、左右一対の圧縮コイルスプリング９の付勢によって先端球状部材８がフレット部収納ストッパ部３１への係止状態に保たれている。
従って、アンテナ５を伸長させたり、携帯電話機本体の上下を逆さにしたり、上下方向に振動を与えたとしても、ボディ部２からフレット部１が飛び出していることはない。
【００１８】
図４は、通信モードで使用する場合の例で、フレット部１に収納されているアンテナ５を伸長させて、通信を可能とする状態を示している。
なお、通信モードで使用する他の例として、後述するように、ボディ部２からフレット部１を引き出し、更に、アンテナ５を伸長させて使用することもできる。
【００１９】
図１及び図２は、他の通信モードまたは演奏モードで使用する場合の例で、フレット部１をボディ部２のフレット部収納室３から引き出した状態を示している。
この場合、図５に示したように、左右一対の圧縮コイルスプリング９の付勢によって先端球状部材８が半球状凹部によるフレット部伸長ストッパ部３２への係止状態に保たれている。
従って、ボディ部２からフレット部１が抜け出ることはなく、また、収納方向に移動することもない。
【００２０】
ところで、図３に示したように、フレット部１をボディ部２に収納した状態において、演奏モードで演奏操作を行う場合、ユーザーは、圧縮コイルスプリング９の付勢による先端球状部材８とフレット部収納ストッパ部３１との係止力を上回る力で、フレット部収納室３の開口部より指でヘッド部６を摘み出す。そして、フレット部１をボディ部２から最長になるまで引き出す。これにより、前述したように、左右一対の圧縮コイルスプリング９の付勢力で先端球状部材８が、フレット部収納ストッパ部３１の半球状凹部よりやや大き目の半球状凹部によるフレット部伸長ストッパ部３２への係止状態に保たれる（図５参照）。
こうしてボディ部２から引き出したフレット部１の鍵盤１１を指で適宜に押し操作することにより、所望の演奏操作が行える。この時、必要に応じて、楽音パラメータ設定スイッチ部６１も操作する。
【００２１】
演奏操作が終了してフレット部１及びヘッド部６をボディ部２に収納する際、ユーザーは、圧縮コイルスプリング９の付勢による先端球状部材８とフレット部伸長ストッパ部３２との係止力を上回る力で、ヘッド部６を介してフレット部１をボディ部２に押し込む。
これにより、先端球状部材８は、フレット部伸長ストッパ部３２から離脱してフレット部収納室３の最深部に向かって円滑にスライドしていき、やがて、フレット部収納ストッパ部３１に係合する。
【００２２】
以上の構成による弦楽器型携帯電話機は、アンテナ５をフレット部１に収納し、フレット部１の鍵盤１１及びヘッド部６の楽音パラメータ設定スイッチ部６１を演奏操作することによって演奏データを生成し、その演奏データに基づいてスピーカ２７から楽音を発音したり、着信メロディとして使用できる。
すなわち、着メロなどの曲データの入力作業に際して、フレット部１の鍵盤１１から直接演奏操作をすることによって、演奏を楽しめるとともに、その演奏データを容易にメモリに登録できる。
また、携帯電話機として、外形をギターを模した弦楽器型の形態としたので、ユニークで個性的であり、従来にない個性的なファッション性を主張できる。
更に、フレット部１の内部にアンテナ収納管４を設け、ボディ部２の内部にフレット部収納室３を設けたことにより、携帯電話としての使用時以外はフレット部１をボディ部２の内部に収納できるので、小型化も可能である。
【００２３】
なお、以上の実施の形態においては、携帯電話機としたが、本発明はこれに限定されるものではなく、他の通信機であっても良い。
また、その他、具体的な細部形状・構造等についても適宜に変更可能であることは勿論である。
【００２４】
【発明の効果】
請求項１記載の発明によれば、第１構成部の演奏操作部での演奏操作に基づいて第２構成部のスピーカから楽音を発音でき、すなわち、通信機としてだけでなく、演奏が手軽に行える上、外形的に従来になかったユニークで個性的なファッション性も主張でき、更に、第１構成部を第２構成部に収納して小型化できる。
【００２５】
請求項２記載の発明によれば、請求項１記載の発明により得られる効果に加え、弦楽器のような斬新な外観が得られる。
【００２６】
請求項３記載の発明によれば、請求項２記載の発明により得られる効果に加え、フレット部に対しアンテナを伸縮できる。
【図面の簡単な説明】
【図１】本発明を適用した一実施の形態の構成を示すもので、弦楽器型通信機の概略正面図である。
【図２】図１の弦楽器型通信機の概略側面図である。
【図３】図１及び図２の弦楽器型通信機において、ボディ部にフレット部を収納した状態を示した概略正面図（ａ）と概略側面図（ｂ）である。
【図４】図３のフレット部収納状態からアンテナを伸長した状態を示した概略側面図である。
【図５】図１のフレット部伸長状態の係止構造を示した概略正面図である。
【図６】図３のフレット部収納状態の構造を示した概略正面図である。
【符号の説明】
１  第１構成部（フレット部）
１１  鍵盤（音高入力部；演奏操作部）
１２  フレット部基板
１３  スプリング収納穴
２  第２構成部（ボディ部）
２１  機能選択部（通信操作部）
２２  １０キースイッチ部（通信操作部）
２３  各種ボタンスイッチ部（通信操作部）
２４  表示部
２５  マイク
２６  レシーバ
２７  スピーカ
２８  イヤホン端子
２９  ボディ部基板
３  フレット部収納部
３１  フレット部収納ストッパ部
３２  フレット部伸長ストッパ部
４  アンテナ収納部
５  アンテナ
５１  アンテナ頭部
６  ヘッド部
６１  楽音パラメータ設定スイッチ部（演奏操作部）
７  アンテナ収納部
７１  アンテナ頭部収納部
８  先端球状部材
９  圧縮コイルスプリング
【図１】
0003755380.tif 000002
【図２】
0003755380.tif 000003
【図３】
0003755380.tif 000004
【図４】
0003755380.tif 000005
【図５】
0003755380.tif 000006
【図６】
0003755380.tif 000007